(57)【特許請求の範囲】
【請求項１】
３枚以上の木質基材が防湿シートを含む２つの防湿層を挟んで積層されてなる反り防止木質材を縦框として用いた木質建具の反り防止構造であって、前記反り防止木質材を前記２つの防湿層を境界として厚さ方向の３つのブロック層に区分したときに、内側のブロック層の厚さが外側のブロック層の厚さの１．５倍〜２．５倍であり、
前記反り防止木質材の表裏左右の外周面には外周防湿層が設けられており、
前記反り防止木質材の表裏面に温度差が生じると発生する水分の移動を前記防湿層が遮断し、前記防湿層を挟んで高含水率側の木質基材を膨張、低含水率側の木質基材を収縮させることにより、前記防湿層を境界線に各基材に相反する動きをさせて反りを防止することを特徴とする木質建具の反り防止構造。
【発明の詳細な説明】
【技術分野】
【０００１】
本発明は、住宅等の建築物に設置される、ドアや引き戸等の木質建具の反り防止構造に関するものである。
【背景技術】
【０００２】
従来、住宅等の建築物の開口部には、ドアや引き戸等の木質建具が設置されて、部屋の内外や、押入れ等との間を仕切るようになっている。このような建具においては、使用しているうちに反りが生じてスムーズな開閉が困難となる場合がある。これは主として、室内外に湿度差や温度差が生じることで、木質建具内部の含水率分布に偏りが生じるために起こるものである。すなわち、湿度差が生じると、木質建具表裏面における吸放湿量に差が生じ、湿度の高い側では高含水率となるために膨張し、湿度の低い側では低含水率となるために収縮することにより反りが発生する。また温度差が生じると、木質材中では冷たい側に含有水分が移動するため、厚み方向に含水率の傾斜ができ、反りが発生する。通常、低温側が高湿度、高含水率になることが多く、この場合、前記２つの作用が同方向に働くことになるため、反りが最も顕著に現れると考えられる。さらに、含有水分による影響と比較すると無視できるほどに小さいが、熱膨張率の差によっても反りが発生する。
【０００３】
一方、違法伐採による乱伐などで世界的に森林資源は減少傾向にある。しかし、発展途上国を中心に木材需要は増加しており、将来的に木材流通量減少による供給の不安定化や価格高騰が起き、無垢材や反り狂いの少ない上質材はますます入手困難になると考えられる。そんな中で、集成材、合板、パーティクルボード、木質繊維板等の木質基材の化粧面に突板や化粧シートを貼着し、表面を外観性よくデザインされた木質複合材の建具が普及している。化粧面に突板や化粧シートを施した木質複合材は外から見えないため、今後ますます反り狂いの大きい低質材の活用が求められるようになると予想される。そして、建具の部材が低質化すれば、現状よりも反り等の狂いが大きくなることが考えられる。
【０００４】
こうした木質建具の反りを抑制する方法として、ガスバリア性の高い防湿シートを建具の部材に用いることで、部材の吸放湿量を小さくする方法が広く用いられている。例えば、特許文献１には、２枚又は３枚の木質系基材が防湿シートを挟んで積層された鏡板に関する発明が記載されている。また、特許文献２には、フラッシュドアの木質ボードの両面に非透水・非透湿性シートを貼着したものが、特許文献３には、フラッシュドアの木質ボードの裏面に非透水・非透湿層を形成したものが、それぞれ記載されている。さらに、特許文献４には、縦框の芯材と化粧材との間に防湿シートを介装したものが記載されている。
【先行技術文献】
【特許文献】
【０００５】
【特許文献１】特開２００３−５６２５７号公報
【特許文献２】特開平６−２７２４５５号公報
【特許文献３】特開平７−５４５５３号公報
【特許文献４】特許第４２８３１２１号公報
【発明の概要】
【発明が解決しようとする課題】
【０００６】
しかしながら、特許文献１に記載された発明においては、同じ材料かつ同じ厚みの基材を積層し、各接着層に防湿シートを挟んで接着したものを鏡板としている。この場合、挟む防湿シートの数が多ければ多いほど、特に前述した温度差による含水率傾斜に対しては有効であり、発生する反りは小さくなる。その一方で、挟む防湿シートの数が増えると、増えた分の防湿紙や接着剤のコストが増え、また基材の防湿紙を貼る工程が増えるといったマイナス面が出てくる。従って、より少ない防湿層数で効率的に反りを抑制することが求められる。
【０００７】
一方、特許文献２乃至特許文献４に記載された発明においては、木質ボードや縦框の芯材の構造が、内側に防湿層を挟んだ多層構造とはなっていないため、木質ボードや縦框の芯材自体の反りを効果的に抑制することはできない。
【０００８】
本発明は、上記従来の課題を解決するものであり、複数の基材の間に防湿層を挟んだ木質材において、より少ない防湿層で効果的に反りを防止することを目的とするものである。
【課題を解決するための手段】
【０００９】
請求項１に係る発明の木質建具の反り防止構造は、３枚以上の木質基材が防湿シートを含む２つの防湿層を挟んで積層されてなる反り防止木質材を縦框として用いた木質建具の反り防止構造であって、前記反り防止木質材を前記２つの防湿層を境界として厚さ方向の３つのブロック層に区分したときに、内側のブロック層の厚さが外側のブロック層の厚さの１．５倍〜２．５倍であり、前記反り防止木質材の表裏左右の外周面には外周防湿層が設けられており、前記反り防止木質材の表裏面に温度差が生じると発生する水分の移動を前記防湿層が遮断し、前記防湿層を挟んで高含水率側の木質基材を膨張、低含水率側の木質基材を収縮させることにより、前記防湿層を境界線に各基材に相反する動きをさせて反りを防止することを特徴とする。
【００１５】
なお、一部に木質材を用いた建具であれば、その木質材の部分に対して本発明を適用することができるので、上記請求項における木質建具には、建具を構成する框材、鏡板材、芯材、パネル材、構成部材、連結部材等のうち一部の部材に木質材以外の材料を用いたものも含まれる。
【発明の効果】
【００１６】
請求項１に記載の発明においては、３枚以上の木質基材が防湿層を挟んで積層されて反り防止木質材が形成されているので、木質材内部の含有水分の移動を防湿層で遮断することができ、木質材の厚み方向の含水率傾斜を小さくして、反りを防止することができる。
【００１７】
また、反り防止木質材を防湿層を境界として厚さ方向の複数のブロック層に区分したときに、外側のブロック層の厚さよりも内側のブロック層の厚さの方が厚いので、木質材全体の反りに与える影響が大きい外側のブロック層の含水率傾斜を、重点的に小さくすることができる。また防湿層付近では、相対的に高含水率の木質基材と低含水率の木質基材が防湿層を挟んで隣接することになるため、膨張する力と収縮する力が相殺され、寸法変化が抑制されると考えられる。従って、寸法変化が抑制される部分（防湿層付近）を、木質材の反りに影響を与えやすい表面寄りに設けることができる。以上により、同じ防湿層数であっても、各ブロック層の厚さを均等にしたものと比較して、より効果的に反りを防止することができる。
【００２３】
以上、本発明によれば、複数の基材の間に防湿層を挟んだ木質材において、より少ない防湿層で効果的に反りを防止することができる。
【図面の簡単な説明】
【００２４】
【図１】本発明の実施形態１〜４に係る木質建具を示す正面図である。
【図２】実施形態１に係る木質建具の縦框を示す拡大断面図である。
【図３】実施形態１に係る木質建具の縦框の変形例を示す拡大断面図である。
【図４】実施形態２に係る木質建具の縦框を示す拡大断面図である。
【図５】実施形態２に係る木質建具の縦框の変形例を示す拡大断面図である。
【図６】実施形態３に係る木質建具の鏡板を示す拡大断面図である。
【図７】実施形態３に係る木質建具の鏡板の変形例を示す拡大断面図である。
【図８】実施形態４に係る木質建具の鏡板を示す拡大断面図である。
【図９】実施形態４に係る木質建具の鏡板の変形例を示す拡大断面図である。
【図１０】本発明の実施形態５〜６に係る木質建具を示す正面図である。
【図１１】実施形態５に係る木質建具の芯材を示す拡大断面図である。
【図１２】実施形態５に係る木質建具の芯材の変形例を示す拡大断面図である。
【図１３】実施形態６に係る木質建具の芯材を示す拡大断面図である。
【図１４】実施形態６に係る木質建具の芯材の変形例を示す拡大断面図である。
【発明を実施するための形態】
【００２５】
次に、図１乃至図３を参照して、本発明の実施形態１に係る木質建具の反り防止構造について説明する。図１は、実施形態１に係る木質建具１００を示す正面図であり、図２は、実施形態１に係る木質建具１００の縦框を示す拡大断面図（図１のＡ−Ａ断面図）、図３はその変形例を示す拡大断面図である。
【００２６】
図１及び図２に示すように、木質建具１００は、縦框２，２、横框３，３，３に、鏡板４，４を取り付けて構成された、框組構造の建具である。鏡板４は、縦框２及び横框３に形成された凹部に嵌め込まれている。なお、図１には、木質建具１００として、鴨居と敷居に設けられたレール上を走行する引き戸を示したが、ドアなどの開き戸であってもよい。ただし、引き戸の場合には、レールや擦れ違う隣接する引き戸との関係から、反りの防止がドアに比べて強く求められることから、引き戸に適用する場合に特に効果が高い。
【００２７】
次に、縦框２として用いられる框材１０について説明する。框材１０は、以下のようにして形成されて、反り防止木質材として機能する。図２に示すように、框材１０は、木質基材である３枚の框基材１１，１２，１３を順に積層して形成されている。框基材１１と框基材１３は、框材１０の厚さ方向の外側に配置されている。また框基材１２は、框材１０の厚さ方向の内側に配置されている。そして、框基材１１と框基材１２の間、框基材１２と框基材１３の間には、それぞれ防湿層１，１が挟み込まれている。このように、框材１０を防湿層１，１を境界として厚さ方向の３つのブロック層に区分したときに、框基材１１と框基材１３は外側のブロック層を形成し、框基材１２は内側のブロック層を形成している。なお、框基材１１の表面、框基材１３の表面、及び框材１０の左右の側面には、框材１０の外周面を囲むように化粧材５が貼着されている。
【００２８】
框基材１１，１２，１３の厚さは、それぞれＴ１１，Ｔ１２，Ｔ１３であり、Ｔ１１＝Ｔ１３＜Ｔ１２の関係になっている。すなわち、框材１０の外側のブロック層に積層された框基材１１，１３の厚さＴ１１，Ｔ１３よりも、框材１０の内側のブロック層に積層された框基材１２の厚さＴ１２の方が厚くなっている。比率としては、框基材１２の厚さＴ１２が框基材１１，１３の厚さＴ１１，Ｔ１３のおよそ１．５倍〜２．５倍程度となっていることが好ましく、最も好ましいのは２倍程度である。
【００２９】
框基材１１，１２，１３の材料としては、無垢材、集成材、ＬＶＬ（単板積層材）、合板、木質繊維板、パーティクルボードなどを用いることができる。図２に示す框材１０には、框基材１１，１２，１３のすべてに同材料を用いてある。すなわち、框基材１１，１２，１３は、厚さのみが異なる同じ材質の材料であり、例えば、ＬＶＬ（単板積層材）であれば、積層されるすべての木質基材にＬＶＬを用い、合板であれば、積層されるすべての木質基材に合板を用いる。なお、図２では各ブロック層を１枚の木質基材としているが、複数の木質基材を積層して１つのブロック層を構成してもよい。
【００３０】
一方、防湿層１としては、防湿シートや防湿樹脂含浸紙を用いることができる。防湿シートとしては、木質基材との接着を考慮すると、プラスチック系シートの表裏面に紙を貼着したシート（主にプラスチック部分は、ポリエチレン、ポリオレフィン系樹脂、ポリエチレンテレフタレートなどのポリエステル系樹脂が好ましい。）や、金属箔の表裏面に紙を貼ったシート等を用いることができる。また近年では、プラスチック系シートにアルミを蒸着したアルミ蒸着シートや、酸化アルミニウム（アルミナ）を蒸着したアルミナ蒸着シートがあり、アルミ箔と比べると安価で防湿性も高く、表裏面に紙がなくても木質材に接着できるものが出てきており、これらを使用することが好ましい。
【００３１】
また、防湿樹脂含浸紙は、非水系の接着剤を紙に含浸させ、防湿層兼接着層として使用するものであり、樹脂としては、ホットメルト系接着剤やイソシアネート系接着剤を用いることができる。
【００３２】
ここで、防湿層を挟んで積層された木質材の反り防止の仕組みについて説明する。木質材の反りは前述したとおり、表裏面に温湿度差が生じると発生する。特に温度差が生じると、木質材中では冷たい側に含水が移動して厚み方向に含水率の傾斜ができ、この含水率の傾斜が大きいほど木質材自体の反りは大きくなる。そこで木質材の厚み中央付近に防湿層を挟むと、この含水率の移動を遮断することができる。防湿層に隣接した木質基材の含水率を比較すると、低温側の基材の含水率は低く、高温側の基材の含水率は高くなる。これは、防湿層を境界に分割された各ブロック層内で冷たい側に含水が移動するためである。すると、防湿層を挟んで高含水率側は膨張、低含水率側は収縮することになり、防湿層を境界線に各基材が相反する動きをするため、防湿層付近では応力が拮抗し、寸法変化が抑制される。そして、そのような層を反りに与える影響の大きい表面寄りに設けることにより、全体として反りを小さくすることができる。なお、外側のブロック層が薄すぎると、防湿層を挟んだ隣接する木質基材の相反する動きが相殺されにくくなる。本実施形態においては、好ましい例として、内側のブロック層の厚さを外側のブロック層のおよそ１．５倍〜２．５倍程度とし、最も好ましい例として、２倍程度としている。
【００３３】
また、防湿層を境界に木質材を分解して考えると、ブロック層の厚みが厚いほど、そのブロック層内に発生する含水率傾斜は大きくなる。従来の方法である基材を同じ厚みに均等分割し防湿層を挟む方法では、各構成基材に発生する含水率傾斜は同程度の大きさとなる。そこで本実施形態では、厚み中央位置の層を中立軸と考えると、中立軸から離れた位置のブロック層（框基材１１、框基材１３）の寸法変化が木質材（框材１０）全体の反りに与える影響が大きいことに着目し、中立軸から最も離れた外側のブロック層の厚さ（Ｔ１１，Ｔ１３）を薄くし、それ以外の中央部分（内側）のブロック層（框基材１２）の厚さ（Ｔ１２）を厚くした。そうすることで外側のブロック層（框基材１１、框基材１３）に発生する含水率傾斜を小さくし、同じ防湿層数であっても、従来の厚みを均等分割にして防湿層を入れた木質材と比較して反りを小さくすることができる。また、表裏のバランスを取るために、中立軸を中心として対称な木質基材の構成とした。
【００３４】
なお、このような防湿層を挟むことによる反り防止効果は、以下の前提に立って得られるものである。すなわち、（１）「木質材外周面全面の吸放湿が遮断されている。」、あるいは（２）「木質材表裏面に温度差が生じる→内部に温度傾斜ができる→含水率傾斜ができるという現象が生じていく速度に対し、木質材外周面の吸放湿が十分遅い又は少ない。」という前提である。そうでなければ、せっかく防湿層により各基材間の含水移動を防止したとしても、各基材の含水率傾斜が木質材外周面からの吸放湿によって影響を受けてしまい、防湿層に隣接した低温側の基材の含水率と高温側の基材の含水率との間に差が生じなくなり、応力の拮抗による寸法変化の抑制ができなくなるのである。通常の木質材において（１）の前提を完全に満たすことは困難であり、また（２）の前提を満たすか否かも木質材の材質や構成にもよるため一律に判断することはできない。しかしながら、（１）や（２）の前提のためには、少なくとも木質材の表裏面に防湿性能を有する化粧シート等の防湿層を設けることや、さらには木質材の外周面全面に防湿層を設けることが効果的であることは明らかである。従って、そのように外周面からの吸放湿を抑制した木質材であれば、防湿層を挟むことによる反り防止効果が、より期待できるものと考えられる。
【００３５】
このように、実施形態１に係る木質建具の反り防止構造においては、３枚の框基材１１，１２，１３（木質基材）が防湿層１を挟んで積層されて框材１０（反り防止木質材）が形成されているので、框材１０内部の含有水分の移動を防湿層１で遮断することができ、框材１０の厚み方向の含水率傾斜を小さくして、反りを防止することができる。
【００３６】
また、框材１０を防湿層１，１を境界として厚さ方向の複数のブロック層に区分したときに、外側のブロック層の厚さＴ１１，Ｔ１３よりも内側のブロック層の厚さＴ１２の方が厚いので、框材１０全体の反りに与える影響が大きい外側のブロック層の含水率傾斜を、重点的に小さくすることができる。また防湿層１，１付近では、相対的に高含水率の框基材１１，１３と低含水率の框基材１２が防湿層１，１を挟んで隣接することになるため、膨張する力と収縮する力が相殺され、寸法変化が抑制されると考えられる。従って、寸法変化が抑制される部分（防湿層付近）を、框材１０の反りに影響を与えやすい表面寄りに設けることができる。以上により、同じ防湿層数であっても、各ブロック層の厚さを均等にしたものと比較して、より効果的に反りを防止することができる。
【００３７】
また、框材１０の外側のブロック層に積層された框基材１１，１３と、框材１０の内側のブロック層に積層された框基材１２とが、同材料であるので、框材１０の含水率傾斜を、積層する各框基材１１，１２，１３の厚さＴ１１，Ｔ１２，Ｔ１３を変更することにより的確に調整することができる。
【００３８】
なお、框基材１１，１２，１３の材料として、異なる材質の材料を用いることもできる。その場合には、図３に示す框材１０´のように形成することが好ましい。框材１０´は図２に示す框材１０とほぼ同様の構成であるが、框基材の材質が異なっており、框材１０´の外側のブロック層に積層された框基材１１´，１３´がＬＶＬ（単板積層材）であり、框材１０´の内側のブロック層に積層された框基材１２´が合板である。ＬＶＬは、繊維の向きを揃えて積層されており、長さ方向の強度が高い。また、厚さ方向に含水率傾斜ができたとしても、木材は繊維方向の寸法変化が最も小さいため、反りが生じにくい。従って、框材１０´全体の反りに与える影響が大きい外側のブロック層の強度と寸法安定性を、建具部材の長さ方向に繊維の向きを揃えたＬＶＬを用いることで重点的に高め、より効果的に反りを防止することができる。それに対し、合板は初期反りやひねりを防止することができる。なお、ＬＶＬは単板を長さ方向に繊維の向きを揃えて積層したものであるが、ここでいうＬＶＬには、長さ方向と直交する層を若干含んだものも含まれる。要は、外側のブロック層に積層された木質基材の方が、内側のブロック層に積層された木質基材よりも、長さ方向に繊維の向きを揃えた単板を多く積層した構成であればよい。
【００３９】
以上のように、実施形態１に係る木質建具の反り防止構造においては、反り防止木質材を框材１０（１０´）として用いているので、框組構造の木質建具１００の骨格である框材１０（１０´）の反りを抑制し、木質建具１００全体の反りを効果的に防止することができる。
【００４０】
次に、図４及び図５を参照して、本発明の実施形態２に係る木質建具の反り防止構造について説明する。なお、実施形態２についても実施形態１と同様に、図１に示す木質建具１００を用いて説明する。図４は、実施形態２に係る木質建具１００の縦框を示す拡大断面図（図１のＡ−Ａ断面図）、図５はその変形例を示す拡大断面図である。なお、実施形態１と同一の部分については、同一の符号を付し説明を省略する。
【００４１】
まず、縦框２として用いられる框材２０について説明する。框材２０は、以下のようにして形成されて、反り防止木質材として機能する。図４に示すように、框材２０は、木質基材である４枚の框基材２１，２２，２３，２４を順に積層して形成されている。框基材２１と框基材２４は、框材２０の厚さ方向の外側に配置されている。また框基材２２と框基材２３は、框材２０の厚さ方向の内側に配置されている。そして、框基材２１と框基材２２の間、框基材２２と框基材２３の間、框基材２３と框基材２４の間には、それぞれ防湿層１，１，１が挟み込まれている。このように、框材２０を防湿層１，１，１を境界として厚さ方向の４つのブロック層に区分したときに、框基材２１と框基材２４は外側のブロック層を形成し、框基材２２と框基材２３は内側のブロック層を形成している。なお、框基材２１の表面、框基材２４の表面、及び框材２０の左右の側面には、框材２０の外周面を囲むように化粧材５が貼着されている。
【００４２】
框基材２１，２２，２３，２４の厚さは、それぞれＴ２１，Ｔ２２，Ｔ２３，Ｔ２４であり、Ｔ２１＝Ｔ２４＜Ｔ２２＝Ｔ２３の関係になっている。すなわち、框材２０の外側のブロック層に積層された框基材２１，２４の厚さＴ２１，Ｔ２４よりも、框材２０の内側のブロック層に積層された框基材２２，２３の厚さＴ２２，Ｔ２３の方が厚くなっている。比率としては、框基材２２，２３の厚さＴ２２，Ｔ２３が框基材２１，２４の厚さＴ２１，Ｔ２４のおよそ１．５倍〜２．５倍程度となっていることが好ましく、最も好ましいのは２倍程度である。
【００４３】
框基材２１，２２，２３，２４の材料としては、無垢材、集成材、ＬＶＬ（単板積層材）、合板、木質繊維板、パーティクルボードなどを用いることができる。図４に示す框材２０には、框基材２１，２２，２３，２４のすべてに同材料を用いてある。すなわち、框基材２１，２２，２３，２４は、厚さのみが異なる同じ材質の材料であり、例えば、ＬＶＬ（単板積層材）であれば、積層されるすべての木質基材にＬＶＬを用い、合板であれば、積層されるすべての木質基材に合板を用いる。なお、図４では各ブロック層を１枚の木質基材としているが、複数の木質基材を積層して１つのブロック層を構成してもよい。
【００４４】
このように、実施形態２に係る木質建具の反り防止構造においては、４枚の框基材２１，２２，２３，２４（木質基材）が防湿層１を挟んで積層されて框材２０（反り防止木質材）が形成されているので、框材２０内部の含有水分の移動を防湿層１で遮断することができ、框材２０の厚み方向の含水率傾斜を小さくして、反りを防止することができる。
【００４５】
また、框材２０を防湿層１，１，１を境界として厚さ方向の複数のブロック層に区分したときに、外側のブロック層の厚さＴ２１，Ｔ２４よりも内側のブロック層の厚さＴ２２，Ｔ２３の方が厚いので、框材２０全体の反りに与える影響が大きい外側のブロック層の含水率傾斜を、重点的に小さくすることができる。また図４における上側の防湿層１付近では相対的に高含水率の框基材２１と低含水率の框基材２２が防湿層１を挟んで隣接することになるため、膨張する力と収縮する力が相殺され、寸法変化が抑制されると考えられる。図４における下側の防湿層１付近の框基材２３と框基材２４においても同様である。従って、寸法変化が抑制される部分（防湿層付近）を框材２０の反りに影響を与えやすい表面寄りに設けることができる。以上により、同じ防湿層数であっても、各ブロック層の厚さを均等にしたものと比較して、より効果的に反りを防止することができる。
【００４６】
また、框材２０の外側のブロック層に積層された框基材２１，２４と框基材２０の内側のブロック層に積層された框基材２２，２３とが、同材料であるので、框材２０の含水率傾斜を、積層する各框基材２１，２２，２３，２４の厚さＴ２１，Ｔ２２，Ｔ２３，Ｔ２４を変更することにより的確に調整することができる。
【００４７】
なお、框基材２１，２２，２３，２４の材料として、異なる材質の材料を用いることもできる。その場合には、図５に示す框材２０´のように形成することが好ましい。框材２０´は図４に示す框材２０とほぼ同様の構成であるが、框基材の材質が異なっており、框材２０´の外側のブロック層に積層された框基材２１´，２４´がＬＶＬ（単板積層材）であり、框材２０´の内側のブロック層に積層された框基材２２´，２３´が合板である。ＬＶＬは、繊維の向きを揃えて積層されており、長さ方向の強度が高い。また、厚さ方向に含水率傾斜ができたとしても、木材は繊維方向の寸法変化が最も小さいため、反りが生じにくい。従って、框材２０´全体の反りに与える影響が大きい外側のブロック層の強度と寸法安定性を、建具部材の長さ方向に繊維の向きを揃えたＬＶＬを用いることで重点的に高め、より効果的に反りを防止することができる。それに対し、合板は初期反りやひねりを防止することができる。なお、ＬＶＬは単板を長さ方向に繊維の向きを揃えて積層したものであるが、ここでいうＬＶＬには、長さ方向と直交する層を若干含んだものも含まれる。要は、外側のブロック層に積層された木質基材の方が、内側のブロック層に積層された木質基材よりも、長さ方向に繊維の向きを揃えた単板を多く積層した構成であればよい。
【００４８】
以上のように、実施形態２に係る木質建具の反り防止構造においては、反り防止木質材を框材２０（２０´）として用いているので、框組構造の木質建具１００の骨格である框材２０（２０´）の反りを抑制し、木質建具１００全体の反りを効果的に防止することができる。
【００４９】
なお、実施形態１及び実施形態２においては、反り防止木質材を木質建具１００の縦框として用いたが、横框にも同様に用いることができる。ただし、通常は縦框の方が横框よりも長く反りが発生しやすいため、長さのある縦框に用いるのが特に効果的である。
【００５０】
次に、図６及び図７を参照して、本発明の実施形態３に係る木質建具の反り防止構造について説明する。なお、実施形態３についても実施形態１と同様に、図１に示す木質建具１００を用いて説明する。図６は、実施形態３に係る木質建具１００の鏡板を示す拡大断面図、図７はその変形例を示す拡大断面図である。なお、実施形態１と同一の部分については、同一の符号を付し説明を省略する。
【００５１】
まず、鏡板４として用いられる鏡板材３０について説明する。鏡板材３０は、以下のようにして形成されて、反り防止木質材として機能する。図６に示すように、鏡板材３０は、木質基材である３枚の鏡板基材３１，３２，３３を順に積層して形成されている。鏡板基材３１と鏡板基材３３は、鏡板材３０の厚さ方向の外側に配置されている。また鏡板基材３２は、鏡板材３０の厚さ方向の内側に配置されている。そして、鏡板基材３１と鏡板基材３２の間、鏡板基材３２と鏡板基材３３の間には、それぞれ防湿層１，１が挟み込まれている。このように、鏡板材３０を防湿層１，１を境界として厚さ方向の３つのブロック層に区分したときに、鏡板基材３１と鏡板基材３３は外側のブロック層を形成し、鏡板基材３２は内側のブロック層を形成している。なお、鏡板基材３１の表面と、鏡板基材３３の表面には、それぞれ化粧材５が貼着されている。
【００５２】
鏡板基材３１，３２，３３の厚さは、それぞれＴ３１，Ｔ３２，Ｔ３３であり、Ｔ３１＝Ｔ３３＜Ｔ３２の関係になっている。すなわち、鏡板材３０の外側のブロック層に積層された鏡板基材３１，３３の厚さＴ３１，Ｔ３３よりも、鏡板材３０の内側のブロック層に積層された鏡板基材３２の厚さＴ３２の方が厚くなっている。比率としては、鏡板基材３２の厚さＴ３２が鏡板基材３１，３３の厚さＴ３１，Ｔ３３のおよそ１．５倍〜２．５倍程度となっていることが好ましく、最も好ましいのは２倍程度である。
【００５３】
鏡板基材３１，３２，３３の材料としては、無垢材、集成材、ＬＶＬ（単板積層材）、合板、木質繊維板、パーティクルボードなどを用いることができる。図６に示す鏡板材３０には、鏡板基材３１，３２，３３のすべてに同材料を用いてある。すなわち、鏡板基材３１，３２，３３は、厚さのみが異なる同じ材質の材料であり、例えば、ＬＶＬ（単板積層材）であれば、積層されるすべての木質基材にＬＶＬを用い、合板であれば、積層されるすべての木質基材に合板を用いる。なお、図６では各ブロック層を１枚の木質基材としているが、複数の木質基材を積層して１つのブロック層を構成してもよい。
【００５４】
このように、実施形態３に係る木質建具の反り防止構造においては、３枚の鏡板基材３１，３２，３３（木質基材）が防湿層１を挟んで積層されて鏡板材３０（反り防止木質材）が形成されているので、鏡板材３０内部の含有水分の移動を防湿層１で遮断することができ、鏡板材３０の厚み方向の含水率傾斜を小さくして、反りを防止することができる。
【００５５】
また、鏡板材３０を防湿層１，１を境界として厚さ方向の複数のブロック層に区分したときに、外側のブロック層の厚さＴ３１，Ｔ３３よりも内側のブロック層の厚さＴ３２の方が厚いので、鏡板材３０全体の反りに与える影響が大きい外側のブロック層の含水率傾斜を、重点的に小さくすることができる。また防湿層１，１付近では、相対的に高含水率の鏡板基材３１，３３と低含水率の鏡板基材３２が防湿層１，１を挟んで隣接することになるため、膨張する力と収縮する力が相殺され、寸法変化が抑制されると考えられる。従って、寸法変化が抑制される部分（防湿層付近）を鏡板材３０の反りに影響を与えやすい表面寄りに設けることができる。以上により、同じ防湿層数であっても、各鏡板基材の厚さを均等にしたものと比較して、より効果的に反りを防止することができる。
【００５６】
また、鏡板材３０の外側のブロック層に積層された鏡板基材３１，３３と、鏡板材３０の内側のブロック層に積層された鏡板基材３２とが、同材料であるので、鏡板材３０の含水率傾斜を、積層する各鏡板基材３１，３２，３３の厚さＴ３１，Ｔ３２，Ｔ３３を変更することにより的確に調整することができる。
【００５７】
なお、鏡板基材３１，３２，３３の材料として、異なる材質の材料を用いることもできる。その場合には、図７に示す鏡板材３０´のように形成することが好ましい。鏡板材３０´は図６に示す鏡板材３０とほぼ同様の構成であるが、鏡板基材の材質が異なっており、鏡板材３０´の外側のブロック層に積層された鏡板基材３１´，３３´がＬＶＬ（単板積層材）であり、鏡板材３０´の内側のブロック層に積層された鏡板基材３２´が合板である。ＬＶＬは、繊維の向きを揃えて積層されており、長さ方向の強度が高い。また、厚さ方向に含水率傾斜ができたとしても、木材は繊維方向の寸法変化が最も小さいため、反りが生じにくい。従って、鏡板材３０´全体の反りに与える影響が大きい外側のブロック層の強度と寸法安定性を、建具部材の長さ方向に繊維の向きを揃えたＬＶＬを用いることで重点的に高め、より効果的に反りを防止することができる。それに対し、合板は初期反りやひねりを防止することができる。なお、ＬＶＬは単板を長さ方向に繊維の向きを揃えて積層したものであるが、ここでいうＬＶＬには、長さ方向と直交する層を若干含んだものも含まれる。要は、外側のブロック層に積層された木質基材の方が、内側のブロック層に積層された木質基材よりも、長さ方向に繊維の向きを揃えた単板を多く積層した構成であればよい。
【００５８】
以上のように、実施形態３に係る木質建具の反り防止構造においては、反り防止木質材を鏡板材３０（３０´）として用いているので、框組構造の木質建具１００の鏡板材３０（３０´）の反りを抑制し、木質建具１００全体の反りを効果的に防止することができる。
【００５９】
次に、図８及び図９を参照して、本発明の実施形態４に係る木質建具の反り防止構造について説明する。なお、実施形態４についても実施形態１と同様に、図１に示す木質建具１００を用いて説明する。図８は、実施形態４に係る木質建具１００の鏡板を示す拡大断面図、図９はその変形例を示す拡大断面図である。なお、実施形態１と同一の部分については、同一の符号を付し説明を省略する。
【００６０】
まず、鏡板４として用いられる鏡板材４０について説明する。鏡板材４０は、以下のようにして形成されて、反り防止木質材として機能する。図８に示すように、鏡板材４０は、木質基材である４枚の鏡板基材４１，４２，４３，４４を順に積層して形成されている。鏡板基材４１と鏡板基材４４は、鏡板材４０の厚さ方向の外側に配置されている。また鏡板基材４２と鏡板基材４３は、鏡板材４０の厚さ方向の内側に配置されている。そして、鏡板基材４１と鏡板基材４２の間、鏡板基材４２と鏡板基材４３の間、鏡板基材４３と鏡板基材４４の間には、それぞれ防湿層１，１，１が挟み込まれている。このように、鏡板材４０を防湿層１，１，１を境界として厚さ方向の４つのブロック層に区分したときに、鏡板基材４１と鏡板基材４４は外側のブロック層を形成し、鏡板基材４２と鏡板基材４３は内側のブロック層を形成している。なお、鏡板基材４１の表面と、鏡板基材４４の表面には、それぞれ化粧材５が貼着されている。
【００６１】
鏡板基材４１，４２，４３，４４の厚さは、それぞれＴ４１，Ｔ４２，Ｔ４３，Ｔ４４であり、Ｔ４１＝Ｔ４４＜Ｔ４２＝Ｔ４３の関係になっている。すなわち、鏡板材４０の外側のブロック層に積層された鏡板基材４１，４４の厚さＴ４１，Ｔ４４よりも、鏡板材４０の内側のブロック層に積層された鏡板基材４２，４３の厚さＴ４２，Ｔ４３の方が厚くなっている。比率としては、鏡板基材４２，４３の厚さＴ４２，Ｔ４３が鏡板基材４１，４４の厚さＴ４１，Ｔ４４のおよそ１．５倍〜２．５倍程度となっていることが好ましく、最も好ましいのは２倍程度である。
【００６２】
框基材４１，４２，４３，４４の材料としては、無垢材、集成材、ＬＶＬ（単板積層材）、合板、木質繊維板、パーティクルボードなどを用いることができる。図８に示す鏡板材４０には、鏡板基材４１，４２，４３，４４のすべてに同材料を用いてある。すなわち、鏡板基材４１，４２，４３，４４は、厚さのみが異なる同じ材質の材料であり、例えば、ＬＶＬ（単板積層材）であれば、積層されるすべての木質基材にＬＶＬを用い、合板であれば、積層されるすべての木質基材に合板を用いる。なお、図８では各ブロック層を１枚の木質基材としているが、複数の木質基材を積層して１つのブロック層を構成してもよい。
【００６３】
このように、実施形態４に係る木質建具の反り防止構造においては、４枚の鏡板基材４１，４２，４３，４４（木質基材）が防湿層１を挟んで積層されて鏡板材４０（反り防止木質材）が形成されているので、鏡板材４０内部の含有水分の移動を防湿層１で遮断することができ、鏡板材４０の厚み方向の含水率傾斜を小さくして、反りを防止することができる。
【００６４】
また、鏡板材４０を防湿層１，１，１を境界として厚さ方向の複数のブロック層に区分したときに、外側のブロック層の厚さＴ４１，Ｔ４４よりも内側のブロック層の厚さＴ４２，Ｔ４３の方が厚いので、鏡板材４０全体の反りに与える影響が大きい外側のブロック層の含水率傾斜を、重点的に小さくすることができる。また図８における上側の防湿層１付近では相対的に高含水率の鏡板基材４１と低含水率の鏡板基材４２が防湿層１を挟んで隣接することになるため、膨張する力と収縮する力が相殺され、寸法変化が抑制されると考えられる。図８における下側の防湿層１付近の鏡板基材４３と鏡板基材４４においても同様である。従って、寸法変化が抑制される部分（防湿層付近）を鏡板材４０の反りに影響を与えやすい表面寄りに設けることができる。以上により、同じ防湿層数であっても、各ブロック層の厚さを均等にしたものと比較して、より効果的に反りを防止することができる。
【００６５】
また、鏡板材４０の外側のブロック層に積層された鏡板基材４１，４４と、鏡板材４０の内側のブロック層に積層された鏡板基材４２，４３とが、同材料であるので、鏡板材４０の含水率傾斜を、積層する各鏡板基材４１，４２，４３，４４の厚さＴ４１，Ｔ４２，Ｔ４３，Ｔ４４を変更することにより的確に調整することができる。
【００６６】
なお、鏡板基材４１，４２，４３，４４の材料として、異なる材質の材料を用いることもできる。その場合には、図９に示す鏡板材４０´のように形成することが好ましい。鏡板材４０´は図８に示す鏡板材４０とほぼ同様の構成であるが、鏡板基材の材質が異なっており、鏡板材４０´の外側のブロック層に積層された鏡板基材４１´，４４´がＬＶＬ（単板積層材）であり、鏡板材４０´の内側のブロック層に積層された鏡板基材４２´，４３´が合板である。ＬＶＬは、繊維の向きを揃えて積層されており、長さ方向の強度が高い。また、厚さ方向に含水率傾斜ができたとしても、木材は繊維方向の寸法変化が最も小さいため、反りが生じにくい。従って、鏡板材４０´全体の反りに与える影響が大きい外側のブロック層の強度と寸法安定性を、建具部材の長さ方向に繊維の向きを揃えたＬＶＬを用いることで重点的に高め、より効果的に反りを防止することができる。それに対し、合板は初期反りやひねりを防止することができる。なお、ＬＶＬは単板を長さ方向に繊維の向きを揃えて積層したものであるが、ここでいうＬＶＬには、長さ方向と直交する層を若干含んだものも含まれる。要は、外側のブロック層に積層された木質基材の方が、内側のブロック層に積層された木質基材よりも、長さ方向に繊維の向きを揃えた単板を多く積層した構成であればよい。
【００６７】
以上のように、実施形態４に係る木質建具の反り防止構造においては、反り防止木質材を鏡板材４０（４０´）として用いているので、框組構造の木質建具１００の鏡板材４０（４０´）の反りを抑制し、木質建具１００全体の反りを効果的に防止することができる。
【００６８】
なお、実施形態１及び実施形態２は本発明に係る木質建具の反り防止構造を框材に適用したものであり、実施形態３及び実施形態４は鏡板に適用したものであるが、もちろん框材と鏡板の両方に適用することも可能である。
【００６９】
次に、図１０乃至図１２を参照して、本発明の実施形態５に係る木質建具の反り防止構造について説明する。図１０は、実施形態５に係る木質建具２００を示す正面図であり、図１１は、実施形態５に係る木質建具２００の芯材を示す拡大断面図（図１０のＢ−Ｂ断面図）、図１２はその変形例を示す拡大断面図である。
【００７０】
図１０及び図１１に示すように、木質建具２００は、芯材５０を挟んで表側の面と裏側の面にパネル材６，６を取り付けて構成された、フラッシュ構造の建具である。なお、図１０には、木質建具２００として、鴨居と敷居に設けられたレール上を走行する引き戸を示したが、ドアなどの開き戸であってもよい。ただし、引き戸の場合には、レールや擦れ違う隣接する引き戸との関係から、反りの防止がドアに比べて強く求められることから、引き戸に適用する場合に特に効果が高い。
【００７１】
次に、芯材５０について説明する。芯材５０は、以下のようにして形成されて、反り防止木質材として機能する。図１１に示すように、芯材５０は、木質基材である３枚の芯基材５１，５２，５３を順に積層して形成されている。芯基材５１と芯基材５３は、芯材５０の厚さ方向の外側に配置されている。また芯基材５２は、芯材５０の厚さ方向の内側に配置されている。そして、芯基材５１と芯基材５２の間、芯基材５２と芯基材５３の間には、それぞれ防湿層１，１が挟み込まれている。このように、芯材５０を防湿層１，１を境界として厚さ方向の３つのブロック層に区分したときに、芯基材５１と芯基材５３は外側のブロック層を形成し、芯基材５２は内側のブロック層を形成している。なお、図中の符号７は、木端化粧材７である。
【００７２】
芯基材５１，５２，５３の厚さは、それぞれＴ５１，Ｔ５２，Ｔ５３であり、Ｔ５１＝Ｔ５３＜Ｔ５２の関係になっている。すなわち、芯材５０の外側のブロック層に積層された芯基材５１，５３の厚さＴ５１，Ｔ５３よりも、芯材５０の内側のブロック層に積層された芯基材５２の厚さＴ５２の方が厚くなっている。比率としては、芯基材５２の厚さＴ５２が芯基材５１，５３の厚さＴ５１，Ｔ５３のおよそ１．５倍〜２．５倍程度となっていることが好ましく、最も好ましいのは２倍程度である。
【００７３】
芯基材５１，５２，５３の材料としては、無垢材、集成材、ＬＶＬ（単板積層材）、合板、木質繊維板、パーティクルボードなどを用いることができる。図１１に示す芯材５０には、芯基材５１，５２，５３のすべてに同材料を用いてある。すなわち、芯基材５１，５２，５３は、厚さのみが異なる同じ材質の材料であり、例えば、ＬＶＬ（単板積層材）であれば、積層されるすべての木質基材にＬＶＬを用い、合板であれば、積層されるすべての木質基材に合板を用いる。なお、図１１では各ブロック層を１枚の木質基材としているが、複数の木質基材を積層して１つのブロック層を構成してもよい。
【００７４】
このように、実施形態５に係る木質建具の反り防止構造においては、３枚の芯基材５１，５２，５３（木質基材）が防湿層１を挟んで積層されて芯材５０（反り防止木質材）が形成されているので、芯材５０内部の含有水分の移動を防湿層１で遮断することができ、芯材５０の厚み方向の含水率傾斜を小さくして、反りを防止することができる。
【００７５】
また、芯材５０を防湿層１，１を境界として厚さ方向の複数のブロック層に区分したときに、外側のブロック層の厚さＴ５１，Ｔ５３よりも内側のブロック層の厚さＴ５２の方が厚いので、芯材５０全体の反りに与える影響が大きい外側のブロック層の含水率傾斜を、重点的に小さくすることができる。また防湿層１，１付近では、相対的に高含水率の芯基材５１，５３と低含水率の芯基材５２が防湿層１，１を挟んで隣接することになるため、膨張する力と収縮する力が相殺され、寸法変化が抑制されると考えられる。従って、寸法変化が抑制される部分（防湿層付近）を、芯材５０の反りに影響を与えやすい表面寄りに設けることができる。以上により、同じ防湿層数であっても、各芯基材の厚さを均等にしたものと比較して、より効果的に反りを防止することができる。
【００７６】
また、芯材５０の外側のブロック層に積層された芯基材５１，５３と、芯材５０の内側のブロック層に積層された芯基材５２とが、同材料であるので、芯材５０の含水率傾斜を、積層する各芯基材５１，５２，５３の厚さＴ５１，Ｔ５２，Ｔ５３を変更することにより的確に調整することができる。
【００７７】
なお、芯基材５１，５２，５３の材料として、異なる材質の材料を用いることもできる。その場合には、図１２に示す芯材５０´のように形成することが好ましい。芯材５０´は図１１に示す芯材５０とほぼ同様の構成であるが、芯基材の材質が異なっており、芯材５０´の外側のブロック層に積層された芯基材５１´，５３´がＬＶＬ（単板積層材）であり、芯材５０´の内側のブロック層に積層された芯基材５２´が合板である。ＬＶＬは、繊維の向きを揃えて積層されており、長さ方向の強度が高い。また、厚さ方向に含水率傾斜ができたとしても、木材は繊維方向の寸法変化が最も小さいため、反りが生じにくい。従って、芯材５０´全体の反りに与える影響が大きい外側のブロック層の強度と寸法安定性を、建具部材の長さ方向に繊維の向きを揃えたＬＶＬを用いることで重点的に高め、より効果的に反りを防止することができる。それに対し、合板は初期反りやひねりを防止することができる。なお、ＬＶＬは単板を長さ方向に繊維の向きを揃えて積層したものであるが、ここでいうＬＶＬには、長さ方向と直交する層を若干含んだものも含まれる。要は、外側のブロック層に積層された木質基材の方が、内側のブロック層に積層された木質基材よりも、長さ方向に繊維の向きを揃えた単板を多く積層した構成であればよい。
【００７８】
以上のように、実施形態５に係る木質建具の反り防止構造においては、反り防止木質材を芯材５０（５０´）として用いているので、フラッシュ構造の木質建具２００の骨格である芯材５０（５０´）の反りを抑制し、木質建具２００全体の反りを効果的に防止することができる。
【００７９】
次に、図１３及び図１４を参照して、本発明の実施形態６に係る木質建具の反り防止構造について説明する。なお、実施形態６についても実施形態５と同様に、図１０に示す木質建具２００を用いて説明する。図１３は、実施形態６に係る木質建具２００の芯材を示す拡大断面図（図１０のＢ−Ｂ断面図）、図１４はその変形例を示す拡大断面図である。なお、実施形態５と同一の部分については、同一の符号を付し説明を省略する。
【００８０】
まず、芯材６０について説明する。芯材６０は、以下のようにして形成されて、反り防止木質材として機能する。図１３に示すように、芯材６０は、木質基材である４枚の芯基材６１，６２，６３，６４を順に積層して形成されている。芯基材６１と芯基材６４は、芯材６０の厚さ方向の外側に配置されている。また芯基材６２と芯基材６３は、芯材６０の厚さ方向の内側に配置されている。そして、芯基材６１と芯基材６２の間、芯基材６２と芯基材６３の間、芯基材６３と芯基材６４の間には、それぞれ防湿層１，１，１が挟み込まれている。このように、芯材６０を防湿層１，１，１を境界として厚さ方向の４つのブロック層に区分したときに、芯基材６１と芯基材６３は外側のブロック層を形成し、芯基材６２と芯基材６３は内側のブロック層を形成している。なお、図中の符号７は、木端化粧材７である。
【００８１】
芯基材６１，６２，６３，６４の厚さは、それぞれＴ６１，Ｔ６２，Ｔ６３，Ｔ６４であり、Ｔ６１＝Ｔ６４＜Ｔ６２＝Ｔ６３の関係になっている。すなわち、芯材６０の外側のブロック層に積層された芯基材６１，６４の厚さＴ６１，Ｔ６４よりも、芯材６０の内側のブロック層に積層された芯基材６２，６３の厚さＴ６２，Ｔ６３の方が厚くなっている。比率としては、芯基材６２，６３の厚さＴ６２，Ｔ６３が芯基材６１，６４の厚さＴ６１，Ｔ６４のおよそ１．５倍〜２．５倍程度となっていることが好ましく、最も好ましいのは２倍程度である。
【００８２】
芯基材６１，６２，６３，６４の材料としては、無垢材、集成材、ＬＶＬ（単板積層材）、合板、木質繊維板、パーティクルボードなどを用いることができる。図１３に示す芯材６０には、芯基材６１，６２，６３，６４のすべてに同材料を用いてある。すなわち、芯基材６１，６２，６３，６４は、厚さのみが異なる同じ材質の材料であり、例えば、ＬＶＬ（単板積層材）であれば、積層されるすべての木質基材にＬＶＬを用い、合板であれば、積層されるすべての木質基材に合板を用いる。なお、図１３では各ブロック層を１枚の木質基材としているが、複数の木質基材を積層して１つのブロック層を構成してもよい。
【００８３】
このように、実施形態６に係る木質建具の反り防止構造においては、４枚の芯基材６１，６２，６３，６４（木質基材）が防湿層１を挟んで積層されて芯材６０（反り防止木質材）が形成されているので、芯材６０内部の含有水分の移動を防湿層１で遮断することができ、芯材６０の厚み方向の含水率傾斜を小さくして、反りを防止することができる。
【００８４】
また、芯材６０を防湿層１，１，１を境界として厚さ方向の複数のブロック層に区分したときに、外側のブロック層の厚さＴ６１，Ｔ６４よりも内側のブロック層の厚さＴ６２，Ｔ６３の方が厚いので、芯材６０全体の反りに与える影響が大きい外側のブロック層の含水率傾斜を、重点的に小さくすることができる。また図１３における上側の防湿層１付近では相対的に高含水率の芯基材６１と低含水率の芯基材６２が防湿層１を挟んで隣接することになるため、膨張する力と収縮する力が相殺され、寸法変化が抑制されると考えられる。図１３における下側の防湿層１付近の芯基材６３と芯基材６４においても同様である。従って、寸法変化が抑制される部分（防湿層付近）を、芯材６０の反りに影響を与えやすい表面寄りに設けることができる。以上により、同じ防湿層数であっても、各芯基材の厚さを均等にしたものと比較して、より効果的に反りを防止することができる。
【００８５】
また、芯材６０の外側のブロック層に積層された芯基材６１，６４と、芯材６０の内側のブロック層に積層された芯基材６２，６３とが、同材料であるので、芯材６０の含水率傾斜を、積層する各芯基材６１，６２，６３，６４の厚さＴ６１，Ｔ６２，Ｔ６３，Ｔ６４を変更することにより的確に調整することができる。
【００８６】
なお、芯基材６１，６２，６３，６４の材料として、異なる材質の材料を用いることもできる。その場合には、図１４に示す芯材６０´のように形成することが好ましい。芯材６０´は図１３に示す芯材６０とほぼ同様の構成であるが、芯基材の材質が異なっており、芯材６０´の外側のブロック層に積層された芯基材６１´，６４´がＬＶＬ（単板積層材）であり、芯材６０´の内側のブロック層に積層された芯基材６２´，６３´が合板である。ＬＶＬは、繊維の向きを揃えて積層されており、長さ方向の強度が高い。また、厚さ方向に含水率傾斜ができたとしても、木材は繊維方向の寸法変化が最も小さいため、反りが生じにくい。従って、芯材６０´全体の反りに与える影響が大きい外側のブロック層の強度と寸法安定性を、建具部材の長さ方向に繊維の向きを揃えたＬＶＬを用いることで重点的に高め、より効果的に反りを防止することができる。それに対し、合板は初期反りやひねりを防止することができる。なお、ＬＶＬは単板を長さ方向に繊維の向きを揃えて積層したものであるが、ここでいうＬＶＬには、長さ方向と直交する層を若干含んだものも含まれる。要は、外側のブロック層に積層された木質基材の方が、内側のブロック層に積層された木質基材よりも、長さ方向に繊維の向きを揃えた単板を多く積層した構成であればよい。
【００８７】
以上のように、実施形態６に係る木質建具の反り防止構造においては、反り防止木質材を芯材６０（６０´）として用いているので、フラッシュ構造の木質建具２００の骨格である芯材６０（６０´）の反りを抑制し、木質建具２００全体の反りを効果的に防止することができる。
【００８８】
以上、上記実施形態１乃至実施形態６に係る木質建具の反り防止構造によれば、複数の基材の間に防湿層を挟んだ木質材において、より少ない防湿層で効果的に反りを防止することができる。
【００８９】
なお、上記実施形態においては、ブロック層を３つ又は４つ設ける構成としたが、５つ以上用いた構成とすることも可能である。その場合には、複数のブロック層の厚さを、木質材の厚さ方向の中央部分に近いブロック層ほど厚くなるように形成するとよい。
【００９０】
また、上記実施形態においては、ドアや引き戸等の木質建具に適用したものを示したが、折れ戸や可動間仕切り、引き戸を設置する開口部に施工される小壁等その他の木質建具についても適用することが可能である。
【００９１】
また、一部に木質材を用いた建具であれば、その木質材の部分に対して本発明を適用することができるので、建具を構成する框材、鏡板材、芯材、パネル材、構成部材、連結部材等のうち一部の部材に木質材以外の材料を用いたものについても適用することが可能である。さらには、床材（特に床暖房用）に適用することも可能である。
【符号の説明】
【００９２】
１  防湿層
２  縦框
３  横框
４  鏡板
５  化粧材
６  パネル材
７  木端化粧材
１０  框材
１１  框基材
１２  框基材
１３  框基材
２０  框材
２１  框基材
２２  框基材
２３  框基材
２４  框基材
３０  鏡板材
３１  鏡板基材
３２  鏡板基材
３３  鏡板基材
４０  鏡板材
４１  鏡板基材
４２  鏡板基材
４３  鏡板基材
４４  鏡板基材
５０  芯材
５１  芯基材
５２  芯基材
５３  芯基材
６０  芯材
６１  芯基材
６２  芯基材
６３  芯基材
６４  芯基材
１００  木質建具（框組構造）
２００  木質建具（フラッシュ構造）
【図１】
0006377313.tif 000002
【図２】
0006377313.tif 000003
【図３】
0006377313.tif 000004
【図４】
0006377313.tif 000005
【図５】
0006377313.tif 000006
【図６】
0006377313.tif 000007
【図７】
0006377313.tif 000008
【図８】
0006377313.tif 000009
【図９】
0006377313.tif 000010
【図１０】
0006377313.tif 000011
【図１１】
0006377313.tif 000012
【図１２】
0006377313.tif 000013
【図１３】
0006377313.tif 000014
【図１４】
0006377313.tif 000015